(57)【要約】【課題】選択されたアイテムに対応するサブ画面をディスプレイ画面の第１領域に階層的にディスプレイするディスプレイ装置及びそのＵＩ提供方法を提供することにある。【解決手段】本ディスプレイ装置のＵＩ提供方法は、ディスプレイ画面の第１領域に少なくとも一つのアイテムをディスプレイし、少なくとも一つのアイテムのうちの一つが選択されると、選択されたアイテムに対応する第１サブ画面をディスプレイ画面の第２領域にディスプレイし、選択されたアイテムに対する少なくとも一つの第１下位アイテムをディスプレイし、少なくとも一つの第１下位アイテムのうちの一つが選択されると、選択された第１下位アイテムに対応する第２サブ画面を第１サブ画面の一部と重畳してディスプレイする。それにより、ユーザがサブ画面を通じて、現在ディスプレイされるアイテムの階層構造を容易に確認することができる。【選択図】図６
2014120176.tif 000002
【特許請求の範囲】
【請求項１】
ディスプレイ画面の第１領域に少なくとも一つのアイテムをディスプレイする第１ディスプレイステップと、
前記少なくとも一つのアイテムのうちの一つが選択されると、前記選択されたアイテムに対応する第１サブ画面をディスプレイ画面の第２領域にディスプレイし、前記選択されたアイテムに対する少なくとも一つの第１下位アイテムをディスプレイする第２ディスプレイステップと、
前記少なくとも一つの第１下位アイテムのうちの一つが選択されると、前記選択された第１下位アイテムに対応する第２サブ画面を前記第１サブ画面の一部と重畳してディスプレイする第３ディスプレイステップと
を含むＵＩ提供方法。
【請求項２】
前記選択された第１下位アイテムに対する下位アイテムとして、少なくとも一つの第２下位アイテムを前記ディスプレイ画面にディスプレイするステップと、
前記少なくとも一つの第２下位アイテムのうちの一つが選択されると、前記選択された第２下位アイテムに対応する第３サブ画面を前記第２サブ画面の一部と重畳してディスプレイするステップと
を更に含むことを特徴とする請求項１に記載のＵＩ提供方法。
【請求項３】
前記第１サブ画面、前記第２サブ画面及び前記第３サブ画面が階層的にディスプレイされることを特徴とする請求項２に記載のＵＩ提供方法。
【請求項４】
前記第１サブ画面、前記第２サブ画面及び前記第３サブ画面の色、輝度、彩度のうち、少なくとも一つが異なることを特徴とする請求項２に記載のＵＩ提供方法。
【請求項５】
前記第１サブ画面ないし前記第３サブ画面は、それぞれ対応するアイテムに関する情報をディスプレイすることを特徴とする請求項２に記載のＵＩ提供方法。
【請求項６】
前記第１サブ画面、前記第２サブ画面及び前記第３サブ画面が階層的にディスプレイされる間、ポインタを用いたユーザ操作に応じて前記第２サブ画面が選択されると、前記第３サブ画面を前記ディスプレイ画面から除去し、前記第１サブ画面及び前記第２サブ画面のみを重畳してディスプレイし、前記少なくとも一つの第２下位アイテムを前記ディスプレイ画面にディスプレイするステップを更に含むことを特徴とする請求項２に記載のＵＩ提供方法。
【請求項７】
前記第１サブ画面、前記第２サブ画面及び前記第３サブ画面が階層的にディスプレイされる間、リモコンの「戻る」ボタンが選択されるユーザ操作が入力されると、前記第３サブ画面を前記ディスプレイ画面から除去し、前記第１サブ画面及び前記第２サブ画面のみを重畳してディスプレイし、前記少なくとも一つの第２下位アイテムを前記ディスプレイ画面にディスプレイするステップを更に含むことを特徴とする請求項２に記載のＵＩ提供方法。
【請求項８】
前記少なくとも一つの第１下位アイテムは、
前記ディスプレイ画面の第１領域及びディスプレイ画面の第３領域のうち、少なくとも一方の領域にディスプレイされることを特徴とする請求項１に記載のＵＩ提供方法。
【請求項９】
前記第２ディスプレイステップは、
前記第１領域にディスプレイされた前記選択されたアイテムが別の領域に移動し、前記選択されたアイテムが移動される間、前記選択されたアイテムのレイアウトを変更して前記第１サブ画面をディスプレイすることを特徴とする請求項１に記載のＵＩ提供方法。
【請求項１０】
ディスプレイ画面の第１領域に少なくとも一つのアイテムをディスプレイするディスプレイ部と、
ユーザ命令を入力されるユーザ入力部と、
前記ユーザ入力部を介して前記少なくとも一つのアイテムのうちの一つが選択されると、前記選択されたアイテムに対応する第１サブ画面を前記ディスプレイ画面の第２領域にディスプレイし、前記選択されたアイテムに対する少なくとも一つの第１下位アイテムをディスプレイし、前記ユーザ入力部を介して前記少なくとも一つの第１下位アイテムのうちの一つが選択されると、前記選択された第１下位アイテムに対応する第２サブ画面を前記第１サブ画面の一部と重畳してディスプレイするように前記ディスプレイ部を制御する制御部と
を含むディスプレイ装置。
【請求項１１】
前記制御部は、
前記選択された第１下位アイテムに対する下位アイテムとして、少なくとも一つの第２下位アイテムを前記ディスプレイ画面にディスプレイし、前記ユーザ入力部を介して前記少なくとも一つの第２下位アイテムのうちの一つが選択されると、前記選択された第２下位アイテムに対応する第３サブ画面を前記第２サブ画面の一部と重畳してディスプレイするように前記ディスプレイ部を制御する制御部を含むことを特徴とする請求項１０に記載のディスプレイ装置。
【請求項１２】
前記第１サブ画面、前記第２サブ画面及び前記第３サブ画面が階層的にディスプレイされることを特徴とする請求項１１に記載のディスプレイ装置。
【請求項１３】
前記第１サブ画面、前記第２サブ画面及び前記第３サブ画面の色、輝度、彩度のうち、少なくとも一つが異なることを特徴とする請求項１１に記載のディスプレイ装置。
【請求項１４】
前記第１サブ画面ないし前記第３サブ画面は、それぞれ対応するアイテムに関する情報をディスプレイすることを特徴とする請求項１１に記載のディスプレイ装置。
【請求項１５】
前記制御部は、
前記第１サブ画面、前記第２サブ画面及び前記第３サブ画面が階層的にディスプレイされる間、前記ユーザ入力部に入力されたユーザ操作に応じてポインタが操作され、前記第２サブ画面が選択されると、前記第３サブ画面を前記ディスプレイ画面から除去し、前記第１サブ画面及び前記第２サブ画面のみを重畳してディスプレイし、前記少なくとも一つの第２下位アイテムを前記ディスプレイ画面にディスプレイするように前記ディスプレイ部を制御することを特徴とする請求項１１に記載のディスプレイ装置。
【発明の詳細な説明】
【技術分野】
【０００１】
本発明は、ディスプレイ装置及びそのＵＩ提供方法に関し、より詳細には、複数の階層構造を有するアイテムを含むＵＩを提供するディスプレイ装置及びそのＵＩ提供方法に関する。
【背景技術】
【０００２】
ディスプレイ装置の技術開発及び通信技術の発達により、近来のディスプレイ装置（例えば、スマートテレビ）は、多様な新規機能（例えば、３Ｄ映像提供機能、ウェブブラウジング機能）が採用され、多様なサービスが提供されている。
【０００３】
機能及びサービスが増加するにつれ、ディスプレイ装置のメニューから提供されるアイテムの数が増加している。よって、ディスプレイ装置のメニューは、進入経路が多様化し、階層構造が増加するようになった。特に、ディスプレイメニューの階層構造が増加するにつれ、ユーザはアイテムを検索する途中に、現在ディスプレイされるアイテムの階層がメニューの階層構造の中のどの位置にあるかを把握することが困難であるという問題点が発生する。
【０００４】
よって、ユーザが現在ディスプレイされるアイテムの階層がメニューの階層構造の中のどの位置にあるか、容易に確認するための方策への模索が求められる。
【０００５】
すなわち、従来のディスプレイ装置は、ポインタを制御するための入力装置による特性を反映することができないという問題点が生じていた。
【先行技術文献】
【特許文献】
【０００６】
【特許文献１】米国登録特許第８、１７６、５１４号
【特許文献２】米国登録特許第７、０７５、５８７号
【特許文献３】韓国特開第２０１２−００７６６５１号公報
【特許文献４】米国登録特許第８、１３４、６４５号
【発明の概要】
【発明が解決しようとする課題】
【０００７】
そこで、本発明は、上記問題に鑑みてなされたものであり、本発明の目的とするところは、現在ディスプレイされるアイテムがメニューの階層構造の中のどの位置にあるかを容易に把握するために、選択されたアイテムに対応するサブ画面をディスプレイ画面の第１領域に階層的にディスプレイするディスプレイ装置及びそのＵＩ提供方法を提供することにある。
【課題を解決するための手段】
【０００８】
前記目的を達成するための本発明の一実施形態に係るディスプレイ装置のＵＩ提供方法は、ディスプレイ画面の第１領域に少なくとも一つのアイテムをディスプレイする第１ディスプレイステップと、前記少なくとも一つのアイテムのうちの一つが選択されると、前記選択されたアイテムに対応する第１サブ画面をディスプレイ画面の第２領域にディスプレイし、前記選択されたアイテムに対する少なくとも一つの第１下位アイテムをディスプレイする第２ディスプレイステップと、前記少なくとも一つの第１下位アイテムのうちの一つが選択されると、前記選択された第１下位アイテムに対応する第２サブ画面を前記第１サブ画面の一部と重畳してディスプレイする第３ディスプレイステップとを含む。
【０００９】
そして、前記選択された第１下位アイテムに対する下位アイテムとして、少なくとも一つの第２下位アイテムを前記ディスプレイ画面にディスプレイするステップと、前記少なくとも一つの第２下位アイテムのうちの一つが選択されると、前記選択された第２下位アイテムに対応する第３サブ画面を前記第２サブ画面の一部と重畳してディスプレイするステップとを更に含んでよい。
【００１０】
なお、前記第１サブ画面、前記第２サブ画面及び前記第３サブ画面が階層的にディスプレイされてよい。
【００１１】
そして、前記第１サブ画面、前記第２サブ画面及び前記第３サブ画面の色、輝度、彩度のうち、少なくとも一つが異なってよい。
【００１２】
なお、前記第１サブ画面ないし前記第３サブ画面は、それぞれ対応するアイテムに関する情報をディスプレイしてよい。
【００１３】
そして、前記第１サブ画面、前記第２サブ画面及び前記第３サブ画面が階層的にディスプレイされる間、ポインタを用いたユーザ操作に応じて前記第２サブ画面が選択されると、前記第３サブ画面を前記ディスプレイ画面から除去し、前記第１サブ画面及び前記第２サブ画面のみを重畳してディスプレイし、前記少なくとも一つの第２下位アイテムを前記ディスプレイ画面にディスプレイするステップを更に含んでよい。
【００１４】
なお、前記第１サブ画面、前記第２サブ画面及び前記第３サブ画面が階層的にディスプレイされる間、リモコンの「戻る」ボタンが選択されるユーザ操作が入力されると、前記第３サブ画面を前記ディスプレイ画面から除去し、前記第１サブ画面及び前記第２サブ画面のみを重畳してディスプレイし、前記少なくとも一つの第２下位アイテムを前記ディスプレイ画面にディスプレイするステップを更に含んでよい。
【００１５】
そして、前記少なくとも一つの第１下位アイテムは、前記ディスプレイ画面の第１領域及びディスプレイ画面の第３領域のうち、少なくとも一方の領域にディスプレイされてよい。
【００１６】
なお、前記第２ディスプレイステップは、前記第１領域にディスプレイされた前記選択されたアイテムが別の領域に移動し、前記選択されたアイテムが移動される間、前記選択されたアイテムのレイアウトを変更して前記第１サブ画面をディスプレイしてよい。
【００１７】
一方、前記目的を達成するための本発明の一実施形態に係るディスプレイ画面の第１領域に少なくとも一つのアイテムをディスプレイするディスプレイ部と、ユーザ命令を入力されるユーザ入力部と、前記ユーザ入力部を介して前記少なくとも一つのアイテムのうちの一つが選択されると、前記選択されたアイテムに対応する第１サブ画面を前記ディスプレイ画面の第２領域にディスプレイし、前記選択されたアイテムに対する少なくとも一つの第１下位アイテムをディスプレイし、前記ユーザ入力部を介して前記少なくとも一つの第１下位アイテムのうちの一つが選択されると、前記選択された第１下位アイテムに対応する第２サブ画面を前記第１サブ画面の一部と重畳してディスプレイするように前記ディスプレイ部を制御する制御部とを含む。
【００１８】
そして、前記制御部は、前記選択された第１下位アイテムに対する下位アイテムとして、少なくとも一つの第２下位アイテムを前記ディスプレイ画面にディスプレイし、前記ユーザ入力部を介して前記少なくとも一つの第２下位アイテムのうちの一つが選択されると、前記選択された第２下位アイテムに対応する第３サブ画面を前記第２サブ画面の一部と重畳してディスプレイするように前記ディスプレイ部を制御する制御部を含んでよい。
【００１９】
なお、前記第１サブ画面、前記第２サブ画面及び前記第３サブ画面が階層的にディスプレイされてよい。
【００２０】
そして、前記第１サブ画面、前記第２サブ画面及び前記第３サブ画面の色、輝度、彩度のうち、少なくとも一つが異なってよい。
【００２１】
なお、前記第１サブ画面ないし前記第３サブ画面は、それぞれ対応するアイテムに関する情報をディスプレイしてよい。
【００２２】
そして、前記制御部は、前記第１サブ画面、前記第２サブ画面及び前記第３サブ画面が階層的にディスプレイされる間、前記ユーザ入力部に入力されたユーザ操作に応じてポインタが操作され、前記第２サブ画面が選択されると、前記第３サブ画面を前記ディスプレイ画面から除去し、前記第１サブ画面及び前記第２サブ画面のみを重畳してディスプレイし、前記少なくとも一つの第２下位アイテムを前記ディスプレイ画面にディスプレイするように前記ディスプレイ部を制御してよい。
【００２３】
なお、前記ユーザ入力部はリモコンであり、前記制御部は、前記第１サブ画面、前記第２サブ画面及び前記第３サブ画面が階層的にディスプレイされる間、前記リモコンの「戻る」ボタンが選択されるユーザ操作が入力されると、前記第３サブ画面を前記ディスプレイ画面から除去し、前記第１サブ画面及び前記第２サブ画面のみを重畳してディスプレイし、前記少なくとも一つの第２下位アイテムを前記ディスプレイ画面にディスプレイするように前記ディスプレイ部を制御してよい。
【００２４】
そして、前記少なくとも一つの第１下位アイテムは、前記ディスプレイ画面の第１領域及びディスプレイ画面の第３領域のうち、少なくとも一方の領域にディスプレイされてよい。
【００２５】
なお、前記制御部は、前記第１領域にディスプレイされた前記選択されたアイテムが別の領域に移動し、前記選択されたアイテムが移動される間、前記選択されたアイテムのレイアウトを変更して前記第１サブ画面を別の領域にディスプレイするように前記ディスプレイ部を制御してよい。
【発明の効果】
【００２６】
以上説明したように、本発明によれば、ユーザは現在ディスプレイされるアイテムの階層構造を容易に確認することができる。なお、ユーザは、アイテムの階層間の移動をより容易に行うことができるようになる。
【図面の簡単な説明】
【００２７】
【図１】本発明の一実施形態に係るディスプレイ装置の構成を概略に示すブロック図である。
【図２】本発明の一実施形態に係るディスプレイ装置の構成を詳細に示すブロック図である。
【図３】本発明の多様な実施形態に係るＵＩ提供方法を説明するための図である。
【図４】本発明の多様な実施形態に係るＵＩ提供方法を説明するための図である。
【図５】本発明の多様な実施形態に係るＵＩ提供方法を説明するための図である。
【図６】本発明の多様な実施形態に係るＵＩ提供方法を説明するための図である。
【図７】本発明の多様な実施形態に係るＵＩ提供方法を説明するための図である。
【図８】本発明の多様な実施形態に係るＵＩ提供方法を説明するための図である。
【図９】本発明の多様な実施形態に係るＵＩ提供方法を説明するための図である。
【図１０】本発明の一実施形態に係るディスプレイ装置のＵＩ提供方法を説明するためのフローチャートである。
【発明を実施するための形態】
【００２８】
以下に添付図面を参照しながら、本発明の好適な実施形態について詳細に説明する。
【００２９】
図１は、本発明の一実施形態に係るディスプレイ装置の構成を概略に示すブロック図である。図１に示すように、ディスプレイ装置１００は、ディスプレイ部１１０と、ユーザ入力部１２０及び制御部１３０を含む。このとき、ディスプレイ装置１００は、スマートテレビで実現されてよいが、それは一実施形態に過ぎず、デスクトップパソコン、ノートパソコン、プロジェクタ、タブレットパソコン、携帯電話等のような多様なディスプレイ装置で実現されてよい。
【００３０】
ディスプレイ部１１０は、制御部１３０の制御に応じて、映像データを出力する。特に、ディスプレイ部１１０は、ディスプレイ画面の第１領域（例えば、下段領域）に少なくとも一つのアイテム及びポインタをディスプレイすることができる。なお、ディスプレイ部１１０は、ユーザ操作に応じて選択されたアイテムに対応するサブ画面をディスプレイ画面の別の領域（例えば、左側上段領域）にディスプレイし、選択されたアイテムに対する少なくとも一つの第１アイテムをディスプレイすることができる。
【００３１】
ユーザ入力部１２０は、ディスプレイ装置１００を制御するためのユーザ命令を受信する。特に、ユーザ入力部１２０は、ディスプレイ部１１０にディスプレイされたアイテムを選択するためのユーザ命令を受信することができる。
【００３２】
このとき、ユーザ入力部１２０は、タッチスクリーン、ポインティングデバイス、ユーザのモーションを検知するモーション入力部、マウス、リモコン等で実現されてよいが、それは一実施形態に過ぎず、他の入力装置によって実現されてよい。
【００３３】
制御部１３０は、ユーザ入力部１２０に入力されたユーザ命令に応じてディスプレイ装置１００の動作全般を制御する。
【００３４】
特に、ディスプレイ部１１０の第１領域（以下、下段領域）に少なくとも一つのアイテムがディスプレイされた場合、ユーザ入力部１２０を介して少なくとも一つのアイテムのうちの一つが選択されると、制御部１３０は、選択されたアイテムに対応する第１サブ画面をディスプレイ画面の別の領域（例えば、左側上段領域）にディスプレイし、選択されたアイテムに対する少なくとも一つの第１下位アイテムをディスプレイするようにディスプレイ部１１０を制御する。このとき、制御部１３０は、一領域にディスプレイされた選択されたアイテムを別の領域に移動させることができる。ここで、制御部１３０は、選択されたアイテムが移動する間に選択されたアイテムのレイアウトを変更させ、第１サブ画面を生成するアニメーション効果を提供することができる。なお、少なくとも一つの第１下位アイテムはディスプレイ画面の第１領域及びディスプレイ画面の第２領域（例えば、中央領域）のうち、少なくとも一つの領域にディスプレイされてよい。
【００３５】
そして、ユーザ入力部１２０を介して少なくとも一つの第１下位アイテムのうちの一つが選択されると、制御部１３０は、選択された第１下位アイテムに対応する第２サブ画面を第１サブ画面の一部と重畳してディスプレイするようにディスプレイ部１１０を制御する。
【００３６】
そして、第１サブ画面上に第２サブ画面が重畳してディスプレイされる間、制御部１３０は、選択された第１下位アイテムに対する下位アイテムとして、少なくとも一つの第２下位アイテムをディスプレイするようにディスプレイ部１２０を制御することができる。そして、ユーザ入力部１２０を介して少なくとも一つの第２下位アイテムのうちの一つが選択されると、制御部１３０は、選択された第２下位アイテムに対応する第３サブ画面を第２サブ画面の一部と重畳してディスプレイするようにディスプレイ部を制御することができる。
【００３７】
このとき、第１サブ画面、第２サブ画面及び第３サブ画面は、一部が重畳されてディスプレイされ、階層的にディスプレイすることができる。
【００３８】
なお、第１サブ画面、第２サブ画面及び第３サブ画面の色、輝度、彩度のうち、少なくとも一つが異なってよい。例えば、第１サブ画面の輝度は最も低く、第３サブ画面の輝度が最も高くてよい。それにより、ユーザは、第１サブ画面ないし第３サブ画面が階層的な構造であることが分かる。
【００３９】
なお、第１サブ画面ないし第３サブ画面は、それぞれ対応するアイテムに関する情報を含むことができる。例えば、第１サブ画面ないし第３サブ画面には、それぞれ対応するアイテムのタイトル、経路等のような情報を含むことができる。
【００４０】
なお、ディスプレイ部１１０にディスプレイされるサブ画面の数は、予め設定された数（例えば、３つ）に限定されてよい。例えば、第２下位アイテムに対する下位アイテムとして、少なくとも一つの第３下位アイテムがディスプレイされる間、少なくとも一つの第３下位アイテムのうちの一つが選択されると、制御部１３０は、第１サブ画面をディスプレイ画面から除去し、第１サブ画面の位置に第２サブ画面を移動させ、第２サブ画面の位置に第３サブ画面を移動させ、選択された第３下位アイテムに対応する第４サブ画面をディスプレイするようにディスプレイ部１１０を制御する。すなわち、制御部１３０は、ディスプレイ部１１０にディスプレイされるサブ画面の数を３つに維持することができる。
【００４１】
なお、制御部１３０は、サブ画面を用いてアイテムの階層間の移動動作を提供することができる。具体的に、第１サブ画面、第２サブ画面及び第３サブ画面が階層的にディスプレイされる間、ユーザ入力部１２０に入力されたユーザ操作に応じてポインタが操作されて第２サブ画面が選択されると、制御部１３０は、第３サブ画面をディスプレイ画面から除去し、第１サブ画面及び第２サブ画面のみを重畳してディスプレイし、少なくとも一つの第２下位アイテムをディスプレイ画面にディスプレイするようにディスプレイ部１１０を制御することができる。
【００４２】
または、ユーザがリモコンの「戻る」ボタンを選択した場合、制御部１３０は、以前の階層のサブ画面及びアイテムを提供することができる。具体的に、第１サブ画面、第２サブ画面および第３サブ画面が階層的にディスプレイされる間、リモコンの「戻る」ボタンが選択されるユーザ操作が入力されると、制御部１３０は、第３サブ画面をディスプレイ画面から除去し、第１サブ画面及び第２サブ画面のみを重畳してディスプレイし、少なくとも一つの第２下位アイテムをディスプレイ画面にディスプレイするようにディスプレイ部１１０を制御することができる。
【００４３】
上述のように、サブ画面を用いて現在ディスプレイされるアイテムの階層構造を示すことで、ユーザは現在ディスプレイされるアイテムの階層構造を容易に確認することができる。
【００４４】
以下においては、図２ないし図６を参照し、ディスプレイ装置についてより詳細に説明する。図２は、本発明の一実施形態に係るディスプレイ装置２００の構成を詳細に示すブロック図である。図２に示すように、ディスプレイ装置２００は、ディスプレイ部２１０と、通信部２２０と、映像受信部２３０と、オーディオ出力部２４０と、保存部２５０と、オーディオ処理部２６０と、ビデオ処理部２７０と、ユーザ入力部２８０及び制御部２９０を含む。
【００４５】
一方、図２は、ディスプレイ装置２００が通信機能、放送受信機能、動画再生機能、ディスプレイ機能等のように、多様な機能を備えた装置である場合を例えると、各種構成要素を総合的に示すものである。よって、実施形態によっては、図２に示す構成要素の一部は、省略または変更されてよく、別の構成要素が更に追加されてよい。
【００４６】
ディスプレイ部２１０は、映像受信部２３０から受信した映像データをビデオ処理部２７０で処理したビデオフレーム及びグラフィック処理部２９３で生成された多様な画面のうち、少なくとも一つをディスプレイする。特に、ディスプレイ部２１０は、ディスプレイ画面の第１領域（例えば、下段領域）上に少なくとも一つのアイテムをディスプレイすることができる。なお、ディスプレイ部２１０は、ユーザ操作に対応して選択されたアイテムに対応するサブ画面をディスプレイすることができる。
【００４７】
通信部２２０は、多様な通信方式に応じて多様な類型の外部機器と通信を行う構成である。通信部２２０は、Ｗｉ−Ｆｉチップ、ブルートゥースチップ、ＮＦＣチップ、無線通信チップ等のような多様な通信チップを含むことができる。このとき、Ｗｉ−Ｆｉチップ、ブルートゥースチップ、ＮＦＣチップは、それぞれＷｉ−Ｆｉ方式、ブルートゥース方式、ＮＦＣ方式で通信を行う。この中のＮＦＣチップは、１３５ｋＨｚ、１３．５６ＭＨｚ、４３３ＭＨｚ、８６０〜９６０ＭＨｚ、２．４５ＧＨｚ等のような多様なＲＦ−ＩＤ周波数帯域のうち、１３．５６ＭＨｚ帯域を使用するＮＦＣ（Ｎｅａｒ  Ｆｉｅｌｄ  Ｃｏｍｍｕｎｉｃａｔｉｏｎ）方式で動作するチップを意味する。Ｗｉ−Ｆｉチップやブルートゥースチップを用いる場合には、ＳＳＩＤ及びセッションキー等のような各種接続情報を先に送受信し、それを用いて通信接続した後、各種情報を送受信することができる。無線通信チップは、ＩＥＥＥ、Ｚｉｇｂｅｅ（登録商標）、３Ｇ（３ｒｄ  Ｇｅｎｅｒａｔｉｏｎ）、３ＧＰＰ（３ｒｄ  Ｇｅｎｅｒａｔｉｏｎ  Ｐａｒｔｎｅｒｓｈｉｐ  Ｐｒｏｊｅｃｔ）、ＬＴＥ（Ｌｏｎｇ  Ｔｅｒｍ  Ｅｖｏｌｕｔｉｏｎ）等のような多様な通信規格によって通信を行うチップを意味する。
【００４８】
映像受信部２３０は、多様なソースを通じて映像データを受信する。例えば、映像受信部２３０は、外部の放送局から放送データを受信することができ、外部装置（例えば、ＤＶＤ装置）から映像データを受信することができる。
【００４９】
オーディオ出力部２４０は、オーディオ処理部２６０で処理された各種オーディオデータだけでなく、各種報知音や音声メッセージを出力する構成である。
【００５０】
保存部２５０は、ディスプレイ装置２００を駆動するための多様なモジュールを保存する。例えば、保存部２５０には、ベースモジュール、センシングモジュール、通信モジュール、プレゼンテーションモジュール、ウェブブラウザモジュール、サービスモジュールを含むソフトウェアが保存されてよい。このとき、ベースモジュールは、ディスプレイ装置２００に含まれた各ハードウェアから伝達される信号を処理し、上位レイヤモジュールに伝達する基礎モジュールである。センシングモジュールは、各種センサから情報を収集し、収集された情報を分析及び管理するモジュールとして、顔認識モジュール、音声認識モジュール、モーション認識モジュール、ＮＦＣ認識モジュール等を含むこともできる。プレゼンテーションモジュールは、ディスプレイ画面を構成するためのモジュールとして、マルチメディアコンテンツを再生して出力するためのマルチメディアモジュール、ＵＩ及びグラフィック処理を行うＵＩレンダリングモジュールを含んでよい。通信モジュールは、外部と通信を行うためのモジュールである。ウェブブラウザモジュールは、ウェブブラウジングを行ってウェブサーバにアクセスするモジュールを意味する。サービスモジュールは、多様なサービスを提供するための各種アプリケーションを含むモジュールである。
【００５１】
上述のように、保存部２５０は、多様なプログラムモジュールを含むことができるが、各種プログラムモジュールは、ディスプレイ装置２００の種類及び特性に応じて一部省略されたり、変形または追加されてよい。仮に、上述のディスプレイ装置２００がタブレットパソコンで実現された場合、ベースモジュールには、ＧＰＳ基板の位置を判断するための位置判断モジュールを更に含み、センシングモジュールにはユーザの動作を検知するセンシングモジュールを更に含んでよい。
【００５２】
オーディオ処理部２６０は、オーディオデータに対する処理を行う構成要素である。オーディオ処理部２６０では、オーディオデータに対するデコードや増幅、ノイズフィルタリング等のような多様な処理が行われてよい。オーディオ処理部２６０で処理されたオーディオデータは、オーディオ出力部２４０に出力されてよい。
【００５３】
ビデオ処理部２７０は、映像受信部２３０から受信した映像データに対する処理を行う構成要素である。ビデオ処理部２７０では、映像データに対するデコード、スケーリング、ノイズフィルタリング、フレームレート変換、解像度変換等のような多様なイメージ処理を行うことができる。
【００５４】
ユーザ入力部２８０は、ディスプレイ装置２００の動作全般を制御するためのユーザ命令を受信する。特に、ユーザ入力部２８０は、ディスプレイ画面にディスプレイされたアイテムを選択するためのユーザ命令を受信することができる。
【００５５】
このとき、入力部１２０は、リモコンで実現されてよいが、それは一実施形態に過ぎず、タッチスクリーン、ポインティングデバイス、モーション入力部、音声入力部等のように、ディスプレイ装置２００を制御することができる別の入力装置で実現されてよい。
【００５６】
制御部２９０は、保存部２５０に保存された各種プログラムを用いてディスプレイ装置２００の動作全般を制御する。
【００５７】
制御部２９０は、図２に示すように、ＲＡＭ２９１と、ＲＯＭ２９２と、グラフィック処理部２９３と、メインＣＰＵ２９４と、第１ないしｎインターフェース２９５−１〜２９５−ｎ及びバス２９６を含む。このとき、ＲＡＭ２９１と、ＲＯＭ２９２と、グラフィック処理部２９３と、メインＣＰＵ２９４と、第１ないしｎインターフェース２９５−１〜２９５−ｎ等はバス２９６を介して相互接続されてよい。
【００５８】
ＲＯＭ２９２には、システムブートのための命令語セット等が保存される。ターンオン命令が入力されて電源が供給されると、メインＣＰＵ２９４はＲＯＭ２９２に保存された命令語に従って保存部２５０に保存されたＯ／ＳをＲＡＭ２９１にコピーし、Ｏ／Ｓを実行させてシステムをブートさせる。ブートが完了すると、メインＣＰＵ２９４は、保存部２５０に保存された各種アプリケーションプログラムをＲＡＭ２９１にコピーし、ＲＡＭ２９１にコピーされたアプリケーションプログラムを実行させて各種動作を行う。
【００５９】
グラフィック処理部２９３は、演算部（図示せず）及びレンダリング部（図示せず）を用いて、アイコン、イメージ、テキスト等のような多様な客体を含む画面を生成する。演算部は、ユーザ入力部２８０から受信された制御命令を用いて、画面のレイアウトに応じて各客体が表示される座標値、形、大きさ、カラー等のような属性値を演算する。レンダリング部は、演算部で演算した属性値に基づいて、客体を含む多様なレイアウトの画面を生成する。レンダリング部から生成された画面は、ディスプレイ部２１０のディスプレイ領域内に表示される。
【００６０】
メインＣＰＵ２９４は、保存部２５０にアクセスし、保存部２５０に保存されたＯ／Ｓを用いてブートを行う。そして、メインＣＰＵ２９４は、保存部２５０に保存された各種プログラム、コンテンツ、データ等を用いて多様な動作を行う。
【００６１】
第１ないしｎインターフェース２９５−１〜２９５−ｎは、上述の各種構成要素と接続される。インターフェースのうちの一つは、ネットワークを通じて外部装置と接続されるネットワークインターフェースであってよい。
【００６２】
特に、制御部２９０は、アイテムの階層構造をサブ画面を用いてユーザに示すことができる。それについては、図３ないし図９を参照して詳細に説明する。
【００６３】
制御部２９０は、ディスプレイ画面の第１領域上に少なくとも一つのアイテムをディスプレイするようにディスプレイ部２１０を制御することができる。例えば、制御部２９０は、図３に示すように、ディスプレイ画面の下段領域上に複数のアイテム３１０、３２０、３３０をディスプレイするようにディスプレイ部２１０を制御することができる。このとき、複数のアイテム３１０、３２０、３３０は、アイテム“写真”３１０と、アイテム“動画”３２０と、アイテム“音楽”３３０を含むことができる。一方、本発明の一実施形態によると、制御部２９０はディスプレイバックグラウンド画面を図３に示すように、何の映像を表示しなくてよいが、それは一実施形態に過ぎず、映像受信部２３０を介して受信された映像（例えば、放送映像、コンテンツ映像等）を表示することができる。
【００６４】
そして、少なくとも一つのアイテムのうちの一つが選択されると、制御部２９０は、選択されたアイテムに対応する第１サブ画面をディスプレイ画面の別の領域にディスプレイし、選択されたアイテムに対する少なくとも一つの第１下位アイテムをディスプレイするようにディスプレイ部２１０を制御することができる。例えば、ディスプレイされた複数のアイテム３１０、３２０、３３０のうち、アイテム“動画”３２０が選択されると、制御部２９０は図４に示すように、ディスプレイ画面の左側上段領域にアイテム“動画”３２０に対応する第１サブ画面４１０をディスプレイするようにディスプレイ部２１０を制御することができる。このとき、第１サブ画面４１０は、アイテム“動画”３２０のタイトルである“動画”というテキストを含むことができる。
【００６５】
一方、制御部４１０は、第１サブ画面４１０を左側上段領域にディスプレイする際、アイテム“動画”３２０が左側上段領域に移動し、第１サブ画面４１０を構成するアニメーション効果を提供することができる。具体的に、アイテム“動画”３２０が選択されると、制御部４１０は、図９に示すように、アイテム“動画”３２０の大きさを変更させつつ、左側上段領域に移動し、最終的にアイテム“動画”３２０を第１サブ画面４１０に変更して生成することができる。このようなアニメーション効果は、別のアイテムが選択され、サブメニューを生成する場合にも同様に適用されてよい。
【００６６】
なお、制御部２９０は、ディスプレイ画面の下段領域にアイテム“動画”３２０の下位アイテムとして、アイテム“おすすめ”４２０、アイテム“最新”４３０、アイテム“人気”４４０をディスプレイし、ディスプレイ画面の中央領域にアイテム“動画”３２０の下位アイテムとして、アイテム“映画”４５０と、アイテム“アニメ”４６０と、アイテム“テレビ”４７０をディスプレイするようにディスプレイ部２１０を制御することができる。すなわち、アイテム“動画”３２０の下位アイテムは、ディスプレイ画面の下段領域だけでなく、中央領域にもディスプレイされてよい。
【００６７】
そして、少なくとも一つの第１下位アイテムのうちの一つが選択されると、制御部２９０は、選択された第１下位アイテムに対応する第２サブ画面を第１サブ画面の一部と重畳してディスプレイするように、ディスプレイ部２１０を制御することができる。例えば、ポインタ３４０の操作を通じて、図４に示す第１下位アイテム４２０〜４７０のうち、アイテム“最新”４３０が選択されると、制御部２９０は、図５に示すように、アイテム“最新”４３０に対応する第２サブ画面５１０を第１サブ画面の一部と重畳してディスプレイするように、ディスプレイ部２１０を制御することができる。このとき、第２サブ画面５１０は、アイテム“最新”４３０のタイトルである“最新”というテキストを含むことができる。
【００６８】
なお、制御部２９０は、選択された第１下位アイテムに対する下位アイテムとして、少なくとも一つの第２下位アイテムをディスプレイするようにディスプレイ部２１０を制御することができる。例えば、制御部２９０は、図５に示すように、ディスプレイ画面の中央領域にアイテム“最新”４３０の下位アイテムとしてアイテム“映画”５２０と、アイテム“アニメ”５３０と、アイテム“テレビ”５４０をディスプレイするように、ディスプレイ部２１０を制御することができる。
【００６９】
そして、少なくとも一つの第２下位アイテムのうちの一つが選択されると、制御部２９０は、選択された第２下位アイテムに対応する第３サブ画面を前記第２サブ画面の一部と重畳してディスプレイするようにディスプレイ部２９０を制御することができる。例えば、図５に示す下位アイテム５２０、５３０、５４０のうち、アイテム“映画”５２０が選択されると、制御部２９０は、図６に示すように、アイテム“映画”５２０に対応する第３サブ画面６１０を第２サブ画面５１０の一部と重畳してディスプレイするようにディスプレイ部２１０を制御することができる。このとき、第３サブ画面６１０は、アイテム“映画”５２０のタイトルである“映画”というテキストを含むことができる。
【００７０】
このとき、第１サブ画面４１０と、第２サブ画面４２０及び第３サブ画面４３０は、図６に示すように、一部が重畳して階層的にディスプレイされてよい。
【００７１】
なお、第１サブ画面４１０と、第２サブ画面４２０及び第３サブ画面４３０の色、輝度、彩度のうち、少なくとも一つが異なってよい。例えば、図６に示すように、最も上位階層であるアイテム“動画”３２０に対応する第１サブ画面４１０の輝度は最も低く、最も下位階層であるアイテム“映画”５２０に対応する第３サブ画面６１０の輝度は最も高くてよい。
【００７２】
このとき、制御部２９０は、選択された第２下位アイテムに対する下位アイテムとして、少なくとも一つの第３下位アイテムをディスプレイするようにディスプレイ部２１０を制御することができる。例えば、制御部２９０は、図６に示すように、アイテム“映画”５２０の下位アイテムとして、アイテム“映画１”６２０、アイテム“映画２”６３０、アイテム“映画３”６４０、アイテム“映画４”６５０、アイテム“映画５”６６０、アイテム“映画６”６７０をディスプレイするようにディスプレイ部２１０を制御することができる。
【００７３】
制御部２９０は、ディスプレイ画面に予め設定された数以下のサブ画面のみをディスプレイするようにディスプレイ部２１０を制御することができる。例えば、図６に示す複数の下位アイテム６２０ないし６７０のうち、アイテム“映画５”６６０が選択されると、制御部２９０は、図７に示すように、第１サブ画面４１０をディスプレイ画面から除去し、第２サブ画面５１０及び第３サブ画面６１０を以前の第１サブ画面４１０及び第２サブ画面５１０の位置に移動し、アイテム“映画５”６６０に対応する第４サブ画面７１０を第３サブ画面６１０と一部重畳してディスプレイするようにディスプレイ部２１０を制御することができる。それにより、制御部２９０は、ディスプレイ画面に３つ以下のサブ画面のみをディスプレイするようにディスプレイ部２１０を制御することができる。
【００７４】
なお、制御部２９０は、サブ画面を用いて、アイテムの階層移動を行うことができる。例えば、図８に示すように、第１サブ画面ないし第３サブ画面４１０、５１０、６１０がディスプレイされた状態で、ユーザ入力部２８０を介したユーザ操作に応じてポインタ３４０を移動させ、第２サブ画面５１０が選択されると、制御部２９０は、図５に示すディスプレイ画面に切り替えることができる。なお、図８に示すように、第１サブ画面ないし第３サブ画面４１０、５１０、６１０がディスプレイされた状態で、ユーザ入力部２８０を介してのユーザ操作に応じてポインタ３４０を移動させ、第１サブ画面４１０が選択されると、制御部２９０は、図４に示すディスプレイ画面に切り替えることができる。すなわち、制御部２９０は、サブ画面を選択することで、以前階層のディスプレイ画面に移動させることができる。
【００７５】
なお、ユーザ入力部２８０がリモコンである場合、制御部２９０は、リモコンに備えられた「戻る」ボタンが入力されると、以前階層のディスプレイ画面に移動させることができる。例えば、ディスプレイ部２１０に、図８に示すようなディスプレイ画面がディスプレイされた状態で、リモコンの「戻る」ボタンが選択されるユーザ命令が入力されると、制御部２９０は、図５に示すようなディスプレイ画面をディスプレイするようにディスプレイ部２１０を制御することができる。
【００７６】
上述のような多様な実施形態により、ユーザは現在ディスプレイされるアイテムの階層構造を容易に確認することができる。なお、ユーザは、アイテムの階層間の移動をより容易に行うことができるようになる。
【００７７】
以下では、図１０を参照し、本発明の一実施形態に係るディスプレイ装置１００のＵＩ提供方法を説明する。
【００７８】
まず、ディスプレイ装置１００は、ディスプレイ画面の第１領域に少なくとも一つのアイテムをディスプレイする（Ｓ１０１０）。
【００７９】
そして、ディスプレイ装置１００は、少なくとも一つのアイテムのうちの一つを選択するユーザ命令が入力されたか否かを判断する（Ｓ１０２０）。
【００８０】
少なくとも一つのアイテムのうちの一つが選択されると（Ｓ１０２０−Ｙ）、ディスプレイ装置１００は、選択されたアイテムに対応する第１サブ画面をディスプレイし、選択されたアイテムに対する少なくとも一つの第１下位アイテムをディスプレイする（Ｓ１０３０）。このとき、ディスプレイ装置１００は、第１サブ画面を選択されたアイテムがディスプレイされた領域と異なる領域にディスプレイすることができる。
【００８１】
そして、ディスプレイ装置１００は、少なくとも一つの第１下位アイテムのうちの一つを選択するユーザ命令が入力されたか否かを判断する（Ｓ１０４０）。
【００８２】
少なくとも一つの第１下位アイテムのうちの一つが選択されると（Ｓ１０４０−Ｙ）、ディスプレイ装置１００は選択された第１下位アイテムに対応する第２サブ画面を第１サブ画面の一部と重畳してディスプレイする（Ｓ１０５０）。すなわち、図５に示すように、ディスプレイ装置１００は、第１サブ画面及び第２サブ画面を階層的にディスプレイすることができる。
【００８３】
なお、上述のような方法で、下位階層に移動する間、サブ画面をディスプレイ画面の第１領域にディスプレイすることで、ユーザはサブ画面を通じて現在ディスプレイ画面のアイテムの階層構造を容易に確認することができるようになる。
【００８４】
一方、上述の多様な実施形態に係るディスプレイ装置のＵＩ提供方法は、プログラムで実現され、ディスプレイ装置に提供されてよい。
【００８５】
具体的には、ディスプレイ画面の第１領域に少なくとも一つのアイテムをディスプレイする第１ディスプレイステップと、前記少なくとも一つのアイテムのうちの一つが選択されると、前記選択されたアイテムに対応する第１サブ画面をディスプレイ画面の第２領域にディスプレイし、前記選択されたアイテムに対する少なくとも一つの第１下位アイテムをディスプレイする第２ディスプレイステップと、前記少なくとも一つの第１下位アイテムのうちの一つが選択されると、前記選択された第１下位アイテムに対応する第２サブ画面を前記第１サブ画面の一部と重畳してディスプレイする第３ディスプレイステップとを含むプログラムが保存された非一時的な読み取り可能な媒体（ｎｏｎ−ｔｒａｎｓｉｔｏｒｙ  ｃｏｍｐｕｔｅｒ  ｒｅａｄａｂｌｅ  ｍｅｄｉｕｍ）が提供されてよい。
【００８６】
非一時的な読み取り可能な媒体とは、レジスタやキャッシュ、メモリ等のように短い間だけデータを保存する媒体ではなく、半永久的にデータを保存し、機器によって読み取り（Ｒｅａｄｉｎｇ）が可能な媒体を意味する。具体的には、上述の多様なアプリケーションまたはプログラムは、ＣＤやＤＶＤ、ハードディスク、ブルーレイディスク、ＵＳＢ、メモリカード、ＲＯＭ等のような非一時的な読み取り可能な媒体に保存されて提供されてよい。
【００８７】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【符号の説明】
【００８８】
１００  ディスプレイ装置
１１０  ディスプレイ部
１２０  ユーザ入力部
１３０  制御部
２００  ディスプレイ装置
２１０  ディスプレイ部
２２０  通信部
２３０  映像受信部
２４０  オーディオ出力部
２５０  保存部
２６０  オーディオ処理部
２７０  ビデオ処理部
２８０  ユーザ入力部
２９０  制御部
２９３  グラフィック処理部
【図１】
2014120176.tif 000003
【図２】
2014120176.tif 000004
【図１０】
2014120176.tif 000005
【図３】
2014120176.tif 000006
【図４】
2014120176.tif 000007
【図５】
2014120176.tif 000008
【図６】
2014120176.tif 000009
【図７】
2014120176.tif 000010
【図８】
2014120176.tif 000011
【図９】
2014120176.tif 000012